(57)【要約】      （修正有）【課題】収納後の体積を確実に縮小することが可能なマグネット付きケーブルを提供する。【解決手段】マグネット付きケーブル１０は、導線２１からなる本体２０の第一端部２５に第一の磁石３０を装着し、本体２０の第二端部２７に第二の磁石３１を装着する。第一端部２５と第二端部２７とを相互に吸着させて収納する。【選択図】図１
0003174582.tif 000002
【実用新案登録請求の範囲】
【請求項１】
一端に第一端部を有し、他端に第二端部を有する本体と、
前記本体の長軸の軸心から離れ、前記本体の前記第一端部に装着される第一の磁石と、
前記本体の長軸の軸心から離れ、前記本体の前記第二端部に装着される第二の磁石と、
を備えることを特徴とするマグネット付きケーブル。
【請求項２】
前記本体は、さらに導線、前記導線の一端に被さる第一のスリーブ、前記導線の他端に被さる第二のスリーブを有し、
前記第一のスリーブは前記本体の前記第一端部を構成し、前記第二のスリーブは前記本体の前記第二端部を構成することを特徴とする請求項１に記載のマグネット付きケーブル。
【請求項３】
前記第一の磁石または前記第二の磁石の一方または両方は、対応する前記スリーブの内側面に装着されることを特徴とする請求項２に記載のマグネット付きケーブル。
【請求項４】
前記磁石は、前記スリーブの内側面に装着することを特徴とする請求項２に記載のマグネット付きケーブル。
【請求項５】
前記本体は、前記第一端部および前記第二端部のうちの少なくとも一つがＵＳＢポートであることを特徴とする請求項１に記載のマグネット付きケーブル。
【考案の詳細な説明】
【技術分野】
【０００１】
本考案は、ケーブルに関し、詳しくはマグネット付きケーブルに関するものである。
【背景技術】
【０００２】
従来、携帯電話、カメラ、ＰＤＡまたはＭＰ３などの電子機器とコンピューターとの間のデーター通信に汎用されているケーブルは、一端の接続ポートがＵＳＢ（Universal Serial Bus）ポートであり、他端が同じ接続ポートまたは異なる接続ポート、例えばＵＳＢポートまたはＭｉｃｒｏ ＵＳＢポートになっている。
【０００３】
上述したケーブルは、一端の接続ポートと他端の接続ポートとの間が可撓性のある導線で構成されている。この従来のケーブルを収納する際、導線を巻くことが一般的である。
【考案の概要】
【考案が解決しようとする課題】
【０００４】
しかしながら、ケーブルの導線を巻いた状態で長期間収納した後、再びケーブルを使用しようとすると、可撓性のある導線は現状に戻らず湾曲状を呈するような現象が発生しやすい。また長期間導線を巻いた状態で収納したケーブルは湾曲がひどいことが原因で損傷または損壊してしまうような事態が発生しやすい。従って、このような収納方式はあまり好ましくない。
本考案は、収納後の体積を確実に縮小することが可能なマグネット付きケーブルを提供することを主な目的とする。
【０００５】
本考案は、単なる磁石として冷蔵庫などの磁性物体の表面に紙などを固定することが可能なマグネット付きケーブルを提供することをもう一つの目的とする。
【課題を解決するための手段】
【０００６】
上述した目的を達成するために、本考案によるマグネット付きケーブルは、本体と本体に装着される二つの磁石を備える。本体は、第一端部および第一端部と相互に向き合う第二端部を有する。二つの磁石は本体の長軸の軸心から離れ、それぞれ本体の第一端部と第二端部に装着される。従って、本考案によるマグネット付きケーブルは、磁力によって第一端部と第二端部とを相互に吸着させることによって収納の便をはかり、収納後の体積を確実に縮小することができるだけでなく、従来の収納方式の欠点を解決することができる。また本考案によるマグネット付きケーブルは、単なる磁石として使用することができる。
【０００７】
本考案によるマグネット付きケーブルにおいて、本体はさらに導線および導線の第一端末および第二端末に被さる二つのスリーブを有する。導線の第一端末、第二端末およびスリーブは本体の第一端部および第二端部を構成する。二つの磁石は二つのスリーブに装着される。かつ耐久性および美観性を兼ねるには、二つの磁石をスリーブの内側面に装着することが比較的好ましい。
【０００８】
本考案によるマグネット付きケーブルにおいて、本体の第一端部および第二端部のうちの少なくとも一つはＵＳＢポートであることが比較的好ましい。
【図面の簡単な説明】
【０００９】
【図１】本考案の一実施形態によるマグネット付きケーブルを示す斜視図である。
【図２】本考案の一実施形態によるマグネット付きケーブルを示す分解斜視図である。
【図３】本考案の一実施形態によるマグネット付きケーブルにおいて第一端部と第二端部とが相互に吸着する状態を示す斜視図である。
【図４】本考案の一実施形態によるマグネット付きケーブルを使って紙を冷蔵庫に固定した状態を示す斜視図である。
【考案を実施するための形態】
【００１０】
以下、本考案による実施形態を図面に基づいて説明する。
（一実施形態）
図１および図２に示すように、本考案の一実施形態によるマグネット付きケーブル１０は、本体２０、第一の磁石３０、及び第二の磁石３１を備える。
【００１１】
導線２１を有し可撓性のある材料から構成される本体２０は、一方の端部がＭｉｃｒｏ ＵＳＢコネクタ４０に電気的に接続され、他方の端部がＵＳＢコネクタ４１に電気的に接続される。
本体２０は、導線２１、導線２１の一方の第一端末２１１に被さる第一のスリーブ２３、および導線２１の他方の第二端末２１３に被さる第二のスリーブ２４を有する。第一スリーブ２３は導線２１の第一端末２１１に被さり、第二スリーブ２３は導線２１の第二端末２１３に被さる。導線２１は可撓性のある材料から構成される。第一スリーブ２３は本体２０の第一端部２５を構成し、第二スリーブ２４は本体２０の第二端部２７を構成する。
【００１２】
磁石３０、３１は、本体２０の長軸の軸心から離れる位置でスリーブ２３、２４の内側面２３１、２４１に装着される。磁石３０、３１は、スリーブ２３、２４内のコネクタ４０、４１を突出させる位置以外の部位に装着される。磁石３０と磁石３１は、相互に離間する遠い位置にあるとき、相互に引き合わない。磁石３０と磁石３１は、相互に隣接する位置にあると、吸引力により相互に引き合う関係にある。
【００１３】
ケーブル１０の両端が離れた位置にあるとき、一方の端部のＭｉｃｒｏ ＵＳＢコネクタ４０を図示しない相手方の装置に機械的かつ電気的に接続し、他方の端部のＵＳＢコネクタ４１を他の相手方の装置に機械的にかつ電気的に接続する。このとき、磁石３０、３１は接続に支障を来さない。
図３に示すように、ケーブル１０を収納する際、本体２０を湾曲し、本体２０の第一端部２５および第二端部２７を磁石３０、３１の磁力によって相互に吸着させ、収納の便をはかることができる。収納後のケーブル１０の占める体積を確実に縮小することができる。
ケーブル１０の両端が離れた位置にあるとき、電気的な接続なしに磁石３０、３１を通常の単なる磁石として使用することができる。例えば磁石３０、３１の吸引力を利用してケーブル１０の収容場所または保存場所を固定することができる。例えば、磁石３０または磁石３１の吸引力によりその位置でケーブル１０を図示しない相手側部材に固定し、その位置からのケーブル１０の離脱を防止することができる。これにより、ケーブル１０の紛失の蓋然性を低めることができるし、次回の使用時に置き場所の特定を確かにするという効果もある。
図４に示すように、スリーブ２３、２４に装着される磁石３０、３１によって、ケーブル１０の第一端部２５および第二端部２７は磁気吸着力を生じるため、冷蔵庫６０にケーブル１０を吸着することができるだけでなく、冷蔵庫６０の磁性材からなる側面６１とケーブル１０の第一端部２５および第二端部２７との間に紙５０をしっかり固定することができる。
【００１４】
上述したとおり、本実施形態によるケーブル１０は第一端部２５および第二端部２７に磁石３０、３１を有するため、第一端部２５よび第二端部２７に生じる磁気吸着力によってケーブル３０、３１を簡単に収納することができるだけでなく、収納されたケーブル１０の体積を確実に縮小することができる。一方、磁気吸着力に頼らず単にケーブルを巻いて収納する方式を採用する従来の技術と比べて、本考案の実施形態によるケーブルは収納されたケーブル１０がねじれ過ぎて損壊してしまうような事態を避けることができる。またケーブル１０は第一端部２５および第二端部２７に磁気吸着力を有するため、単なる磁石として使用することができる。
【００１５】
（他の実施形態）
本考案の他の実施形態として、製造の際、導線の第一端末、第二端末にそれぞれ別のケーブル用コネクタ、例えばＭｉｎｉ ＵＳＢコネクタ、１３９４コネクタ、Ｍｉｃｒｏ ＨＤＭＩコネクタまたは標準ＨＤＭＩコネクタなどを電気的に接続する構成にしてもよい。
本考案の他の実施形態として、耐久性および美観性を配慮する必要がなければ、磁石をスリーブの外側面に装着することができる。言い換えれば、磁石は本体の長軸の軸心から離れるようにスリーブに装着し、かつ、二つのスリーブが相互に接近して行く際に相互に吸着できる任意の位置に据えられてもよい。磁石を本体の長軸の軸心に装着すると、手間がかかるだけでなく、二つのスリーブを相互に接近していくと導線の第一端末および第二端末に配置された２つのコネクタが磁石に支障をきたし、磁石が相互に吸着しにくいような現象が発生するからである。
以上、本考案は、上記実施形態になんら限定されるものではなく、考案の趣旨を逸脱しない範囲において種々の形態で実施可能である。
【符号の説明】
【００１６】
１０      ：ケーブル、  
２０      ：本体、  
２１      ：導線、
２３、２４：スリーブ、  
２５      ：第一端部、  
２７      ：第二端部、  
３０、３１：磁石、  
２１１    ：第一端末、  
２１３    ：第二端末、  
２３１    ：内側面。  
【図１】
0003174582.tif 000003
【図２】
0003174582.tif 000004
【図３】
0003174582.tif 000005
【図４】
0003174582.tif 000006